(57)【要約】【課題】傘の手元を、組立て時の支柱への取付け、および分別廃棄時の支柱からの取外しが容易で、かつ手開き傘にも自動開き傘にも適用可能な構造にする。【解決手段】手元本体１００の支柱保持部の根元に設けられた、外周面に雄ねじを形成した円筒体が、軸線を含む面に沿って２分割された一対の半円筒体からなり、一方の半円筒体１０４が手元本体１００に固定的に形成され、支柱２の手元位置決め穴２５に係入し得る係合突起１１１を内周面に備えた他方の半円筒体１１０が、一方の半円筒体１０４に側方から添接されて、外周面に雄ねじを形成した円筒体を構成し、この円筒体に手元保持部材１２０を螺着する。【選択図】図３２
2007097992.tif 000002
【特許請求の範囲】
【請求項１】
支柱と、該支柱の先端部に嵌装固定された上ろくろと、該上ろくろに根元部を枢着された複数の親骨と、該親骨に沿って張架されたシートと、前記支柱に摺動自在に嵌装された中ろくろと、該中ろくろに根元部を枢着されかつ先端部を前記親骨の中間部に枢着された複数の受け骨と、前記中ろくろの下方において前記支柱に摺動自在に嵌装された下ろくろと、該下ろくろに根元部を枢着されかつ先端部を前記受け骨の中間部に枢着された複数の支え骨と、前記中ろくろと前記下ろくろとの間に縮装されたコイルスプリングと、該支柱の根元部に固定された手元と、前記支柱の外周面から突出する方向に付勢された態様で前記支柱に出没自在に設けられ、突出位置において前記下ろくろを前記手元に近接した位置に係止する留め金と、該留め金を前記支柱内に没入させることにより前記下ろくろの係止を解除して前記傘を前記コイルスプリングの弾発力で開かせるための押しボタンとを備えてなる傘において、
前記中ろくろが、
前記受け骨の根元部を収容するための複数の受け骨収容溝を周縁に放射状に備えたフランジ状の受け骨枢支部と、前記支柱が挿通される中心孔を備えて前記受け骨枢支部の下方に同軸的に連接された円筒状部とを備えた中ろくろ本体と、
該中ろくろ本体の前記円筒状部に嵌着される環状蓋部材とからなり、
枢軸となる突軸を根元部の両側に備えた前記受け骨の前記突軸を収容する突軸収容溝が、前記受け骨枢支部の下面に開口する態様で、各受け骨収容溝の両側に形成され、
前記突軸が前記突軸収容溝に収容された態様ですべての受け骨の根元部が前記受け骨収容溝にそれぞれ収容された状態で、前記突軸収容溝が前記蓋部材により下方から蓋をされ、かつ該蓋部材が、該蓋部材の下面に加わる前記コイルスプリングの付勢力により、前記受け骨枢支部の下面に圧接されてなることを特徴とする、分別廃棄を容易にした傘。
【請求項２】
支柱が挿通される支柱挿通孔を備えた円筒状の支柱保持部を有する手元本体と、該手元本体の支柱保持部の外周に被冠される手元固定部材とからなる手元を有し、前記支柱保持部の根元に設けられた、外周面に雄ねじを形成した円筒体への前記手元固定部材の螺着により、前記支柱挿通孔に挿通された前記支柱に前記手元が取り外し可能に固定されるように構成された傘において、
前記支柱保持部の根元に設けられた、外周面に雄ねじを形成した円筒体が、軸線を含む面に沿って２分割された一対の半円筒体からなり、該一対の半円筒体のうちの一方が前記手元本体に固定的に形成され、前記支柱の手元位置決め穴に係入し得る係合突起を内周面に備えた他方の半円筒体が前記一方の半円筒体に側方から添接されて、前記外周面に雄ねじを形成した円筒体を構成してなることを特徴とする、分別廃棄を可能にした傘。
【請求項３】
前記他方の半円筒体が、前記手元本体とは別部材として形成されたものであることを特徴とする請求項２記載の傘。
【請求項４】
前記他方の半円筒体が、前記軸線を含む面に沿って延びるヒンジ部を介して前記一方の半円筒体に連結されたものであることを特徴とする請求項２記載の傘。
【請求項５】
前記手元本体の前記円筒状の支柱保持部が、軸線を含む面に沿って２分割された一対の半円筒体からなり、該一対の半円筒体のうちの一方が前記手元本体に固定的に形成され、他方の半円筒体が、前記一方の半円筒体に側方から添接されて、前記円筒状の支柱保持部を構成してなることを特徴とする請求項２記載の傘。
【請求項６】
前記他方の半円筒体が、前記軸線を含む面に沿って延びるヒンジ部を介して前記一方の半円筒体に連結されたものであることを特徴とする請求項５記載の傘。
【請求項７】
前記一対の半円筒体の双方の外周面に、前記ヒンジ部に沿った平坦部分が形成されていることを特徴とする請求項６記載の傘。
【請求項８】
前記他方の半円筒体が、前記手元本体とは別部材として形成されたものであることを特徴とする請求項５記載の傘。
【請求項９】
前記他方の半円筒体の内周面に、内方へ膨出する平坦面が形成されていることを特徴とする請求項５から８のいずれか１項記載の傘。
【請求項１０】
前記手元本体の前記円筒状の支柱保持部の外周面が、上方へ向かうにつれて縮径されるテーパー面を形成し、前記手元固定部材の内周面が、前記支柱保持部の外周面に密着し得るテーパー面を形成してなることを特徴とする請求項２から９のいずれか１項記載の傘。
【請求項１１】
支柱が挿通される支柱挿通孔を備えた円筒状の支柱保持部を有する手元本体と、該手元本体の支柱保持部の外周に被冠される手元固定部材とからなり、前記支柱保持部の根元に設けられた、外周面に雄ねじを形成した円筒体への前記手元固定部材の螺着により、前記支柱挿通孔に挿通された前記支柱に取り外し可能に固定されるように構成された手元において、
前記支柱保持部の根元に設けられた、外周面に雄ねじを形成した円筒体が、軸線を含む面に沿って２分割された一対の半円筒体からなり、該一対の半円筒体のうちの一方が前記手元本体に固定的に形成され、前記支柱の手元位置決め穴に係入し得る係合突起を内周面に備えた他方の半円筒体が前記一方の半円筒体に側方から添接されて、前記外周面に雄ねじを形成した円筒体を構成してなることを特徴とする手元。
【請求項１２】
前記他方の半円筒体が、前記手元本体とは別部材として形成されたものであることを特徴とする請求項１１記載の手元。
【請求項１３】
前記他方の半円筒体が、前記軸線を含む面に沿って延びるヒンジ部を介して前記一方の半円筒体に連結されたものであることを特徴とする請求項１１記載の手元。
【請求項１４】
前記手元本体の前記円筒状の支柱保持部が、軸線を含む面に沿って２分割された一対の半円筒体からなり、該一対の半円筒体のうちの一方が前記手元本体に固定的に形成され、他方の半円筒体が前記一方の半円筒体に側方から添接されて、前記円筒状の支柱保持部を構成してなることを特徴とする請求項１１記載の手元。
【請求項１５】
前記他方の半円筒体が、前記軸線を含む面に沿って延びるヒンジ部を介して前記一方の半円筒体に連結されたものであることを特徴とする請求項１４記載の手元。
【請求項１６】
前記一対の半円筒体の双方の外周面に、前記ヒンジ部に沿った平坦部分が形成されていることを特徴とする請求項１５記載の手元。
【請求項１７】
前記他方の半円筒体が、前記手元本体とは別部材として形成されたものであることを特徴とする請求項１４記載の手元。
【請求項１８】
前記他方の半円筒体の内周面に、内方へ膨出する平坦面が形成されていることを特徴とする請求項１４から１７のいずれか１項記載の手元。
【請求項１９】
前記手元本体の前記円筒状の支柱保持部の外周面が、上方へ向かうにつれて縮径されるテーパー面を形成し、前記手元固定部材の内周面が、前記支柱保持部の外周面に密着し得るテーパー面を形成してなることを特徴とする請求項１１から１８のいずれか１項記載の手元。
【発明の詳細な説明】
【技術分野】
【０００１】
本発明は傘に関し、特に製作時における組立てが容易であるのみでなく、壊れた傘を廃棄する場合に、金属製部材と非金属製部材とを容易に分別して廃棄することができる傘に関するものである。
【背景技術】
【０００２】
近年、使用上の便利さから、自動開き傘（ジャンプ傘とも言う）が多数販売されるようになってきた。典型的な自動開き傘の構成は、手開き式傘と同様に、支柱の先端に固定されたた上ろくろと、支柱に摺動自在に嵌着されてその摺動動作により傘を開閉する下ろくろとに加えて、上ろくろと下ろくろとの間において支柱に摺動自在に嵌着された中ろくろを備えており、手開き式傘では下ろくろに枢支されている受け骨の根元部が上記中ろくろに枢支され、下ろくろには、受け骨の中間部に先端を枢着された細く短い支え骨の根元部が枢支されるようになっている。中ろくろと下ろくろとの間には強力なコイルスプリングが縮装され、支柱の手元の近接した位置には、支柱の外周面から突出する方向に付勢された態様で出没自在な留め金が設けられているとともに、この留め金を支柱内に没入させるための押しボタンが留め金と手元との間に設けられている。
【０００３】
そして、下ろくろを手に持って手元側に引き寄せることにより傘をつぼめると、支え骨および受け骨を介して中ろくろが下ろくろに接近することにより、コイルスプリングが圧縮され、その状態で傘は、下ろくろが留め金によって手元の近接した位置に係止された閉状態となる。
【０００４】
この閉状態で押しボタンを押圧すると、留め金による係止を解除された下ろくろがコイルスプリングの弾発力で中ろくろとともに勢い良く支柱上を上ろくろに向かって摺動して傘が開くように構成されている。
【０００５】
ところで、通常の傘は、手開き式または自動開き式を問わず、一般に金属製部材（支柱、親骨，受け骨、支え骨等）と、一般に合成樹脂（以下単に「樹脂」と呼ぶ）からなる非金属製部材（手元、上ろくろ、下ろくろ、中ろくろ、石突き等）から構成されているが、各部材は恒久的にあるいは分解が極めて困難な状態で連結されている。すなわち、樹脂製の上ろくろは留め釘によって金属製の支柱に固定され、また樹脂製の上ろくろと金属製親骨との連結、ならびに樹脂製の下ろくろまたは中ろくろと金属製受け骨または支え骨との連結は、傘骨の根元部に形成した孔に順次挿通した針金（抱き針）をろくろの外周の溝に巻き付け、かつこの針金の先端を捩り合わせることにより行なっていた。
【０００６】
したがって、従来の傘は、製作時における組立てに手間がかかるのみでなく、壊れた傘を廃棄する場合に、シートは比較的容易に外せても、金属製部材と非金属製部材とを分離して分別廃棄することが困難なため、貴重な資源のリサイクルを困難にしていた。最近、特に環境汚染問題がクローズアップされている中、傘の分別廃棄を義務付ける地方自治体も多くなってきたために、この分別廃棄を容易にすることが課題となっている。
【０００７】
そこで、本出願人は先に、組立てが容易であるとともに、廃棄時に金属製部材と樹脂等の非金属製部材とを容易に分別することが可能な手開き式の傘を提案した（特許文献１）。
【特許文献１】特開２００１−２７５７２７号公報
【発明の開示】
【発明が解決しようとする課題】
【０００８】
ところで、手開き式の傘においては、一般に金属製である支柱に固定された樹脂製の上ろくろおよび手元を支柱から容易に取り外せること、ならびに金属製の親骨および受け骨の根元部を樹脂製の上ろくろおよび下ろくろから容易に取り外せることが可能な構成になってさえいれば、金属製部材と非金属製部材との分別廃棄が容易であるが、自動開き傘においては、前述のように、傘を開くための強力なコイルスプリングが中ろくろと下ろくろとの間に縮装されているため、このコイルスプリングをその弾発力が完全に消勢された状態で分解できるようにしなければ、分解が困難であるのみでなく危険を伴うものである。
【０００９】
上述の事情に鑑み、本願第１の発明は、分別廃棄のための分解に伴う自動開き傘特有の問題点を効果的に解決することを目的とするものである。
【００１０】
一方、上記特許文献１に開示された手開き式の傘の傘においては、その手元が、支柱が挿通される支柱挿通孔を備えた円筒状の支柱保持部を有する手元本体と、この手元本体の支柱保持部の外周に被冠される手元固定部材とからなり、上記支柱保持部の根元に設けられた、外周面に雄ねじを形成した円筒体への上記手元固定部材の螺着により、上記支柱挿通孔に挿通された支柱に上記手元が取り外し可能に固定されるように構成されている。
【００１１】
上記手元本体の円筒状の支柱保持部は、軸線を含む面に沿って２分割された一対の半円筒体からなり、これら一対の半円筒体のうちの一方が前記手元本体に固定的に形成され、上記軸線を含む面に沿って延びるヒンジ部を介して上記一方の半円筒体に連結された他方の半円筒体が、ヒンジ部に沿って折り曲げられて上記一方の半円筒体に側方から添接され、上記円筒状の支柱保持部を構成するようになっている。
【００１２】
そして、上記一対の半円筒体の一方の内周面には、支柱に形成された手元位置決め穴に係入し得る係合突起が設けられ、支柱の所定位置に手元が固定されるように構成されている。
【００１３】
ところで、上記のような構成を有する手元においては、支柱に対する支持強度を所定のレベルに保つために、上記支柱保持部が比較的長い軸線方向の長さを有し、これに対応して、上記支柱保持部の外周に被冠される手元固定部材も比較的長い軸線方向の長さを有する。そして、この手元を支柱に取り付ける場合には、先ず手元固定部材を支柱の根元部に挿入し、支柱保持部を取り付けるのに必要な比較的長い支柱部分を手元固定部材の下端から下方に露出させた状態で、この支柱部分に手元本体の支柱保持部を、上述のように、一方の円筒体に対し他方の半円筒体をヒンジ部に沿って折り曲げて側方から添接する態様で円筒体を形成し、同時に上記係合突起を支柱の手元位置決め穴に係入させてから、上記支柱保持部に被冠した手元固定部材を支柱保持部の根元の雄ねじに螺着するようになっている。
【００１４】
すなわち、最初に手元固定部材を支柱に挿入する場合、支柱保持部を形成する他方の半円筒体を一方の半円筒体に側方から添接するのに必要な比較的長い支柱部分を手元固定部材の下端から下方に露出させるために、手元固定部材を支柱に比較的深く挿入する必要がある。
【００１５】
しかしながら、自動開き傘においては、前述のように、傘を開くための押し釦が手元に比較的近接して設けられる関係で、支柱への手元の取付けに先立って手元固定部材を支柱に挿入した場合に、手元固定部材が上記押し釦に当接することにより、手元固定部材の下端からは、短い支柱部分が露出するに過ぎず、上記のような組付け方法を採用することが不可能になる。
【００１６】
そこで、本願第２の発明は、自動開き傘に使用した場合でも、上述のような問題が生じるのを回避した、支柱から容易に取外して分別廃棄することができる手元を備えた傘を提供することを目的とするものである。
【００１７】
さらに、本願第３の発明は、自動開き傘に使用した場合でも、上述のような問題が生じるのを回避した、支柱から容易に取外して分別廃棄することができる手元を提供することを目的とするものである。
【００１８】
なお、以下の説明において、上部または上方は傘の石突き側を意味し、下部または下方は傘の手元側を意味するものとする。
【課題を解決するための手段】
【００１９】
本願第１の発明は、前述のような構成を有する自動開き傘における新規な構成を有する中ろくろに関する発明であって、
上記中ろくろが、
上記受け骨の根元部を収容するための複数の受け骨収容溝を周縁に放射状に備えたフランジ状の受け骨枢支部と、上記支柱が挿通される中心孔を備えて上記受け骨枢支部の下方に同軸的に連接された円筒状部とを備えた中ろくろ本体と、
この中ろくろ本体の上記円筒状部に嵌着される環状蓋部材とからなり、
枢軸となる突軸を根元部の両側に備えた上記受け骨の上記突軸を収容する突軸収容溝が、上記受け骨枢支部の下面に開口する態様で、各受け骨収容溝の両側に形成され、
上記突軸が上記突軸収容溝に収容された態様ですべての受け骨の根元部が前記受け骨収容溝にそれぞれ収容された状態で、上記突軸収容溝が上記蓋部材により蓋をされ、かつこの蓋部材が、その下面に加わる前記コイルスプリングの付勢力により、上記受け骨枢支部の下面に圧接されてなることを特徴とするものである。
【００２０】
本願第２および第３の発明は、手開き傘および自動開き傘の双方に適用し得る新規な構成を有する手元を備えた傘およびその手元に関する発明であって、
支柱が挿通される支柱挿通孔を備えた円筒状の支柱保持部を有する手元本体と、この手元本体の支柱保持部の外周に被冠される手元固定部材とからなり、上記支柱保持部の根元に設けられた、外周面に雄ねじを形成した円筒体への上記手元固定部材の螺着により、上記支柱挿通孔に挿通された前記支柱に取り外し可能に固定されるように構成された手元において、
上記支柱保持部の根元に設けられた、外周面に雄ねじを形成した円筒体が、軸線を含む面に沿って２分割された一対の半円筒体からなり、これら一対の半円筒体のうちの一方が上記手元本体に固定的に形成され、上記支柱の手元位置決め穴に係入し得る係合突起を内周面に備え他方の半円筒体が上記一方の半円筒体に側方から添接されて、上記外周面に雄ねじを形成した円筒体を構成してなることを特徴とするものである。
【００２１】
上記他方の半円筒体は、上記手元本体とは別部材として形成されたものであっても、あるいは上記軸線を含む面に沿って延びるヒンジ部を介して上記一方の半円筒体に連結されたものであってもよい。
【００２２】
また、上記手元本体の円筒状の支柱保持部も、軸線を含む面に沿って２分割された一対の半円筒体からなり、これら一対の半円筒体のうちの一方が上記手元本体に固定的に形成され、他方の半円筒体が、上記一方の半円筒体に側方から添接されて、上記円筒状の支柱保持部を構成してなることが好ましい。
【００２３】
この場合も、他方の半円筒体が、上記軸線を含む面に沿って延びるヒンジ部を介して上記一方の半円筒体に連結されたものであっても、あるいは手元本体とは別別部材として形成されたものであってもよいが、上記他方の半円筒体の内周面に、内方へ膨出する平坦面が形成されていることが好ましい。
【００２４】
また、上記他方の半円筒体が、上記軸線を含む面に沿って延びるヒンジ部を介して上記一方の半円筒体に連結されたものである場合には、一対の半円筒体の双方の外周面に、上記ヒンジ部に沿った平坦部分が形成されていることが好ましい。
【００２５】
さらに、上記手元本体の円筒状の支柱保持部の外周面が、上方へ向かうにつれて縮径されるテーパー面を形成し、上記手元固定部材の内周面が、上記支柱保持部の外周面に密着し得るテーパー面を形成してなることが好ましい。
【発明の効果】
【００２６】
本願第１の発明によれば、中ろくろが、受け骨の根元部を収容するための複数の受け骨収容溝を周縁に放射状に備えたフランジ状の受け骨枢支部と、支柱が挿通される中心孔を備えて上記受け骨枢支部の下方に同軸的に連接された円筒状部とを備えた中ろくろ本体と、この中ろくろ本体の上記円筒状部に嵌着される環状蓋部材とからなり、枢軸となる突軸を根元部の両側に備えた上記受け骨の上記突軸を収容する突軸収容溝が、上記受け骨枢支部の下面に開口する態様で、各受け骨収容溝の両側に形成され、上記突軸が上記突軸収容溝に収容された態様ですべての受け骨の根元部が前記受け骨収容溝にそれぞれ収容された状態で、上記突軸収容溝が上記蓋部材により蓋をされ、かつこの蓋部材が、その下面に加わる前記コイルスプリングの付勢力により、上記受け骨枢支部の下面に圧接されているので、上記蓋部材を中ろくろ本体に固定する手段を必要としないから、中ろくろに対する受け骨の取付けが極めて容易となる。
【００２７】
また、廃棄に際して上ろくろを支柱から取り外しさえすれば、中ろくろは上記蓋部材と分離して上方へ移動させることができ、それによって受け骨枢支部の受け骨収容溝および突軸収容溝を受け骨枢支部の下面に露出させることができる。
【００２８】
したがって、受け骨の根元部を簡単に受け骨枢支部から取り外すことができるとともに、中ろくろを支柱から上方へ抜き去ることができ、その際に、中ろくろと下ろくろとの間に縮装されているコイルスプリングも消勢されるから、安全に傘を分解することができる。
【００２９】
また、本願第２および第３の発明によれば、手元本体の支柱保持部の根元に設けられた、外周面に雄ねじを形成した円筒体が、軸線を含む面に沿って２分割された一対の半円筒体からなり、これら一対の半円筒体のうちの一方が上記手元本体に固定的に形成され、上記支柱の手元位置決め穴に係入し得る係合突起を内周面に備えた他方の半円筒体が、上記一方の半円筒体に側方から添接されて、上記外周面に雄ねじを形成した円筒体を構成するようになっているから、自動開き傘における手元の支柱への取付けに際し、最初に支柱に挿入された手元固定部材が傘を開くための押し釦に当接して、手元固定部材の下端からは短い支柱部分しか露出しない場合であっても、その露出した支柱部分に手元位置決め穴を形成しておけば、支柱の根元部に挿入した手元本体の円筒状支柱保持部を手元固定部材内に挿入することによって、外周面に雄ねじを備え内周面に係合突起を備えた他方の半円筒体を一方の半円筒体に添接させて、上記係合突起を支柱の手元位置決め穴に係入させた態様で、外周面に雄ねじを備えた円筒体を形成することが可能になる。
【００３０】
したがって、支柱に挿入されている手元固定部材を上記外周面に雄ねじを備えた円筒体に螺着することによって、支柱の所定位置に手元を強固に固定することができ、また、上記円筒体と手元固定部材との螺合状態を解除することによって、手元を容易に支柱から取り外すことができる。そして、このような構成を有する手元は、自動開き傘と手開き傘との双方に共用することができる利点がある。
【００３１】
また、支柱保持部は、支柱に形成された手元位置決め穴に係入し得る係合突起を備えていないので、必ずしも一対の半円筒体として形成されていなくてもよいが、一対の半円筒体のうちの一方が上記手元本体に固定的に形成され、他方の半円筒体が、上記一方の半円筒体に側方から添接されて、上記円筒状の支柱保持部を構成するようになっている場合の方が支柱からの取外しが容易となる。
【００３２】
その場合に、他方の半円筒体の内周面に、内方へ膨出する平坦面が形成されている場合には、手元固定部材を樹脂製の手元本体に螺着した場合に、上記平坦面が支柱に圧着されて弾性的に凹み、支柱保持部がより強固に支柱を保持することができる。
【００３３】
そして、他方の半円筒体が、軸線に沿って延びるヒンジ部を介して一方の半円筒体に連結されている場合、他方の半円筒体をヒンジ部に沿って折り曲げて円筒体とする場合、ヒンジ部が上記円筒体の外周面から外方へ突出して、手元固定部材の被冠の障害になるおそれがあるが、一対の半円筒体の双方の外周面に、上記ヒンジ部に沿った平坦部分が形成されていることにより、その分ヒンジ部の位置が上記円筒体の半径方向内方へ変位するから、上述のようなおそれは解消される。
【００３４】
さらに、手元本体の円筒状の支柱保持部の外周面が、上方へ向かうにつれて縮径されるテーパー面を形成し、手元固定部材の内周面が、支柱保持部の外周面に密着し得るテーパー面を形成している場合には、支柱保持部の手元固定部材への挿入が容易になるとともに、より強固に手元を支柱に固定することができる。
【発明を実施するための最良の形態】
【００３５】
以下、図面を参照して本発明の好ましい実施の形態について詳細に説明する。
【００３６】
図１は、本発明による傘の一実施形態の開状態における全体構成を、一部を省略して示す概略図である。
【００３７】
図１において、自動開き傘である傘１は、一般に金属製である支柱２と、この支柱２の先端部に嵌装固定された樹脂製の上ろくろ３と、この上ろくろ３に根元部を枢着された複数の金属製親骨４と、これら親骨４に沿って張架された布製または樹脂製シートＳと、支柱２に摺動自在に嵌装された樹脂製の中ろくろ６と、この中ろくろ６に根元部を枢着されかつ先端部を親骨４の中間部の点Ｐにおいて枢着された複数の金属製受け骨８と、中ろくろ６の下方において支柱２に摺動自在に嵌装された樹脂製の下ろくろ１０と、この下ろくろ１０に根元部を枢着されかつ先端部を受け骨８の中間部の点Ｑにおいて枢着された細く短い複数の金属製支え骨１２と、中ろくろ６と下ろくろ１０との間に縮装された金属製コイルスプリング１４と、支柱２の根元部に固定された樹脂製の手元１６とを備えている。
【００３８】
また、この傘１の閉状態において、中ろくろ６と下ろくろ１０との間に圧縮されたコイルスプリング１４の付勢力に抗して、下ろくろ１０を手元１６に近接した位置に係止するための金属製留め金１８が、支柱２の外周面から突出する方向にばね付勢された態様で支柱２に出没自在に設けられている。そして、この留め金１８を支柱２内に没入させて下ろくろ１０の係止を解除し、傘１をコイルスプリング１４の弾発力で開かせるための押しボタン２０が支柱２の手元１６に近接した位置に設けられている。
【００３９】
さらに、支柱２の先端には樹脂製の石突き２２が、後述するように樹脂製蓋部材２３およびシートＳを介して上ろくろ３に螺着された態様で設けられ、また、上ろくろ３と中ろくろ６との間の支柱部分には、円筒状の樹脂製ストッパ（間筒）２４とゴム製クッションリング２６とが嵌装されて、傘１が開いたときの衝撃を緩和するとともに、支柱２上の中ろくろ６の位置を規定している。ストッパ２４の外周にはその上端から軸線に方向に切り込まれたスリット２４ａが形成され（図２５参照）、このスリット２４ａから、支柱２に取り付けられた上ろくろ係止ピン２７の係止部２７ｄが突出している（図１７参照）。
【００４０】
図２は、支柱２の正面図を示し、支柱２の外表面に対し出没自在に設けられた上述した留め金１８および押しボタン取付け用突起１９ａを一体に備えた金属製部材１９（図３参照）を支柱２の外周面に臨ませるスリット２１を備えていることに加えて、手元１６側には手元位置決め穴２５が形成され、石突き２２側には、上ろくろ位置決め穴２８と、上ろくろ係止ピン２７の係止部２７ｄを突出させるスリット２９とが形成されている。
【００４１】
図３は、傘１の閉状態において支柱２に係止された樹脂製の下ろくろ１０を、樹脂製の中ろくろ６および手元１６とともに示す断面図である。樹脂製の押ボタン２０は、例えばこれを強く上方へ捻ることによって、押しボタン取付け用突起１９ａから取り外せるように構成されている。留め金１８および押しボタン取付け用突起１９ａを一体に備えた金属製部材１９は、留め金１８に関してボタン取付け用突起１９ａ側とは反対側において支柱２内に延びるスプリング部１９ｂを備え、このスプリング部１９ｂの作用で、留め金１８およびボタン取付け用突起１９ａが支柱２の外周面から突出する方向にばね付勢されている。
【００４２】
図４（ａ）〜（ｃ）に平面図、断面図および底面図を示す下ろくろ１０は、上端にフランジ状の支え骨枢支部３０を備えた環状体９と、この環状体９の内周に下方から螺着されるスプリング収容筒１１と、枢支リング１３とからなり、図５（ａ）〜（ｃ）に平面図、断面図および底面図で示すように、螺着強度確保のための角ねじからなる雌ねじ３１を内周に備えた環状体９は、その支え骨枢支部３０の周縁に、複数の支え骨収容溝３２を放射状に備え、下面には、図７に示すような金属製枢支リング１３を取外し可能に嵌着させる溝３４を、すべての支え骨収容溝３２と交差する態様で同軸的に備えている。
【００４３】
図６に断面図で示すスプリング収容筒１１は、図３に示すように、中ろくろ６の下部円筒体部４２（図１４参照）に巻装されたコイルスプリング１４を収容するための上方に開口する空洞３３を内部に備え、上部外周には、環状体９の内周の雌ねじ３１に下方から螺装される角ねじからなる雄ねじ３５を備え、下部には支柱２に摺動自在に嵌装される小径円筒体部３６が連接されている。そして、空洞３３の下端には、コイルスプリング１４の下端を受ける段部１１ａが小径円筒体部３６との境界部に形成されている。また、小径円筒体部３６の中間部には、図３に示すように留め金１８を側方へ突出させるための軸線方向に延びるスリット３７が形成されている。
【００４４】
支え骨枢支部３０の下面の溝３４に嵌着される枢支リング１３は、図７（ａ）の平面図および図７（ｂ）の支え骨１２の根元部１２ａとともに示す断面図から明らかなように、継ぎ目のないリング状の金属製スプリングであることが好ましいが、図８（ａ），（ｂ）に示すように、両端を重ね合わせたリング状スプリング１３′であってもよい。
【００４５】
上記のような構成を有する環状体９にスプリング収容筒１１が下方から螺着され、かつ支え骨枢支部３０の下面の溝３４に枢支リング１３が嵌着されて構成された下ろくろ１０の上記支え骨枢支部３０に対し、図９（ａ），（ｂ）に示すように、鉤状、例えばＵ字状に形成された支え骨１２の根元部１２ａを支え骨収容溝３２内において枢支リング１３に引っ掛けるだけで支え骨１２の根元部１２ａがそのＵ字の底部分において枢支リング１３に取外し可能に枢支される。これは、コイルスプリング１４の付勢力に基づいて、中ろくろ６および受け骨８を介して支え骨１２を先端側に引っ張る力が常に支え骨１２に対して作用しているからである。
【００４６】
このように、下ろくろ１０の支え骨枢支部の支え骨収容溝３２すべてに臨むように支え骨枢支部の下面に嵌着された枢支リング１３に、Ｕ字状に形成された支え骨１２の根元部１２ａを引っ掛けるだけで支え骨１２の根元部１２ａを外れるおそれなしに下ろくろ１０に枢支させることができので、下ろくろ１０に対する支え骨１２の根元部１２ａの取付け、取外しが極めて容易であり、枢支リング１３が支え骨枢支部から取外し可能であることと相俟って、金属製部材と樹脂製部材との分別廃棄が容易になる。
【００４７】
図１０（ａ），（ｂ）は、図４に示した下ろくろ１０とは構成を異にする別の下ろくろ１０′を示し、図１０（ａ）は平面図、図１０（ｂ）は、図１０（ａ）のｂ−ｂ線に沿った断面図である。この下ろくろ１０′は、図１１（ａ）〜（ｃ）に示すような、周縁に複数の支え骨収容溝３２を供えた支え骨枢支部３０を備えた環状体９′に対し、図１２（ａ）〜（ｃ）に示すような、周縁に複数の支え骨収容溝３２を備えたフランジ３８を有するスプリング収容筒１１′が上方から嵌着されるように構成されており、環状体９′は図５に示す環状体９よりもフランジ３８の厚さ分だけ軸線方向寸法が短く形成されている。また、このフランジ３８の下面には、その支え骨収容溝３２の位置を環状体９′の支え骨収容溝３２に合致させるための位置決め用の突起３９，３９が形成され、これに対応して、環状体９′の上面には、上記突起３９，３９が係入する凹み４０，４０が形成されている。それ以外の部分については、図４に示した下ろくろ１０と同様の構成を有するので、同一部分には同一の符号を付して、重複する説明は省略する。
【００４８】
さらに図１３（ａ），（ｂ）は、スプリング収容筒１１″の上端に支え骨枢支部３０が一体に設けられた構成を有する下ろくろ１０″の平面図および断面図を示す。
【００４９】
次に、受け骨８の根元部を枢支する中ろくろ６について説明する。この樹脂製の中ろくろ６は、図１４に拡大して示すように、環状の受け骨枢支部４１と、この受け骨枢支部４１から同軸的に下方へ延びる円筒体部４２と、受け骨枢支部４１から円筒体部４２に亘って上下に貫通する中心孔４７とを備えて支柱２に摺動自在に嵌装される中ろくろ本体４６と、中心孔４９を備えて上記円筒体部４２に下方から嵌着される、図１５に同じく拡大して示すような環状の樹脂製蓋部材４８とから構成されている。
【００５０】
図１４（ａ）〜（ｃ）に平面図、断面図および底面図で示す中ろくろ本体４６の受け骨枢支部４１は、その周縁に、上下に貫通する複数の受け骨収容溝４３を放射状に備え、下面には、受け骨８の根元部の両側に設けられた後述する枢軸となる突軸５０（図１６参照）を収容する突軸収容溝４４が開口している。これら突軸収容溝４４は、各受け骨収容溝４３の両側に亘って各受け骨収容溝４３と直交するように、受け骨枢支部４１の下面から所定の高さに形成されている。中ろくろ本体４６の下部円筒部４２は、コイルスプリング１４が外周面上に巻装されるスプリング巻装部を構成している。
【００５１】
中ろくろ本体４６の受け骨枢支部４１の下面は、図１５（ａ），（ｂ）に平面図および正面図で示すような、受け骨枢支部４１と略同径の環状蓋部材４８で蓋をされるようになっており、この蓋部材４８は、中ろくろ本体４６の下部円筒部４２が挿通される中心孔４９と、平坦な下面４８ａおよび上面４８ｂとを備えている。
【００５２】
図１６（ａ）は、受け骨８の根元部を示す底面図で、この根元部８ａは、中ろくろ本体４６の受け骨枢支部４１の受け骨収容溝４３内に挿入可能なように平に潰されて、そこに枢軸となる突軸５０が取り付けられている。この突軸５０としては、例えば市販の円筒状鳩目金具を、受け骨８の根元部８ａに形成された孔に挿入して根元部８ａの両側に突出させ、かつその両端をフランジ状に潰して抜止めとしたものを用いることができる。
【００５３】
そして、突軸５０を備えた全ての受け骨８の根元部８ａを、図１６（ｂ）に示すように受け骨枢支部４１の下面４１ａに開口する受け骨収容溝４３および突軸収容溝４４に取り付けた後、蓋部材４８を中ろくろ本体４６の円筒部４２に下方から嵌着することによって、受け骨収容溝４３および突軸収容溝４４が蓋部材４８で蓋をされる。そしてこの蓋部材４８の下面４８ａに加わるコイルスプリング１４の付勢力により、蓋部材４８の上面４８ｂが受け骨枢支部４１の下面４１ａに圧接されることによって、図１６（ｃ）に示すように、受け骨８の根元部８ａが中ろくろ６に枢支される。
【００５４】
このような構成により、中ろくろ本体４６を支柱２に沿って上方へ抜けば、蓋部材４８が中ろくろ本体４６の受け骨枢支部４１の下面４１ａから離れ、受け骨８の根元部８ａが露出するから、これによって受け骨８の根元部８ａを直ちに受け骨枢支部４１から下方へ取り外すことができ、金属製部材と樹脂製部材との分別廃棄が容易になる。
【００５５】
次の図１７は、傘１の閉状態において支柱２の先端部に取外し可能に固定されている上ろくろ３を、石突き２２、ストッパ２４等ともに示す断面図、図１８は、傘１の上端部の、支柱２を除く分解断面図である。
【００５６】
図１７および図１８において、この傘１の上端部は、上ろくろ位置決め穴２８を備えた金属製の支柱２と、この支柱２の先端部に嵌装固定される樹脂製の上ろくろ３と、この上ろくろ３に根元部を枢着される複数の金属製親骨４と、これら親骨４に沿って張架された布製または樹脂製シートＳと、上ろくろ３に対し上方から嵌着される環状の蓋部材２３と、支柱２の先端が挿入される中心穴２２ａおよび雌ねじ２２ｂを備えて上ろくろ３に螺装される樹脂製の石突き２２とから構成されている。
【００５７】
樹脂製の上ろくろ３は、図１９（ａ）〜（ｄ）に示す親骨枢支部を構成する第１部材６０と、この第１部材６０に下端部を嵌着される、図２０（ａ）〜（ｃ）に示すような第２部材７０と、この第２部材７０と組み合わされて支柱２に対する係着部を構成する、図２０（ａ），（ｂ）に示すような第３部材８０とからなる。
【００５８】
図１９（ａ）〜（ｄ）に、平面図、側面図、底面図、および図１９（ａ）のＡ−Ａ線に沿った断面図で示す第１部材６０は、中心孔６１と、平坦な上面６２および底面６３を備えたフランジ状の環状体からなり、その周壁には、８個の親骨収容溝６４が、上面６２から底面６３にまで貫通する態様で、略等間隔に放射状に形成されている。
【００５９】
第１部材６０の上面６２の各親骨収容溝６４の両側には、親骨４の根元部の両側に突出する、前記した受け骨８の突軸５０（図１６参照）と同様の枢軸となる突軸９０（図２３（ａ）参照）を支持するための突軸支持溝６５が、第１部材６０の上面６２から所定の深さに形成されて、第１部材６０の上面６２に開口している。また、第１部材６０の底面６３には、所定の周方向の幅Ｄを有する、第２部材７０に対する回り止め部６６，６６を直径上の２箇所に残して、中心孔６１の周縁を巡って形成された浅い溝６７が中心孔６１と同軸的に形成されている。
【００６０】
図２０（ａ）〜（ｃ）に平面図、側面図、および底面図で示す第２部材７０は、支柱２が挿通される中心孔７１と、蓋部材２３の嵌着部となるフランジ部７２と、このフランジ部７２の下方に連接された、第１部材６０の中心孔６１に弾性的に挿入嵌着される円筒状の嵌着部７３と、フランジ部７２の上方に連接された、外周面に雄ねじを備えた半円筒体７４とによって構成されている。
【００６１】
上記嵌着部７３は、第１部材６０の中心孔７１に嵌合する円筒状部７５と、この円筒状部７５の下端に形成された、円筒状部７５よりも大径で先細の係着部７６と、第１部材６０の底部の回り止め部６６，６６と係合するべく、係着部７６の直径上の２箇所に形成された一対の凹部７７，７７と、嵌着部７３に弾性を与えるために下端から軸線方向に上方へ延びる溝７８，７８とを備えている。
【００６２】
したがって、第２部材７０の凹部７７，７７と第１部材６０の回り止め部６６，６６との相対位置を合わせた状態で、第２部材７０の嵌着部７３の下端部を上方から第１部材６０の中心孔６１に宛がって下方へ押圧することにより、第２部材７０の係着部７６が弾性的に縮径されて中心孔６１内に挿入され、かつ係着部７６が第１部材６０の溝６７から突出した時点で係着部７６が弾性的に拡径されて、第１部材６０と第２部材７０とが、相互回転を阻止された態様で、分離不可能な状態に一体化される。
【００６３】
図２０（ａ），（ｂ）の平面図、側面図において、第１部材６０の傍らに示されている第３部材８０は、外周面に雄ねじを備えた半円筒体からなり、この第３部材８０と、第２部材７０の半円筒体７４とは、完全な円筒体がその軸線を含む面に沿って２分割された関係にあり、第３部材８０が第２部材７０の半円筒体７４に側方から添接されて、石突き２２が螺装される連続した雄ねじを備えた完全な円筒体を形成するようになっている。
【００６４】
第３部材８０の内周面には、支柱２の上ろくろ位置決め穴２８に係入し得る係合突起８１が形成されている。
【００６５】
また、円筒体の切断面に相当する端面の一方、例えば第２部材７０の半円筒体７４の端面には係合突起７９が形成され、第３部材８０の端面には、上記係合突起７９が係入し得る窪み８２が形成されている。
【００６６】
図２１（ａ）〜（ｃ）は、上記第１部材６０に上記第２部材７０が嵌着されて構成された上ろくろ３を第3部材８０とともに示す平面図、側面図および底面図である。
【００６７】
図２２は、第２部材の別の実施の形態を示し、この第２部材７０′は、係合突起８１を内周面に備えた半円筒体８０′が、軸線と略平行な方向に延びるヒンジ線Ｈを有するヒンジ部８３を介して一方の半円筒体７４に連結され、半円筒体８０′がヒンジ部８３に沿って折り曲げられて半円筒体７４に側方から添接されて、石突き２２が螺装される完全な円筒体を形成するようになっている。
【００６８】
図２３（ａ）は、親骨４の根元部を示す底面図で、この根元部４ａは、親骨枢支部を構成する第１部材６０の親骨収容溝６４内に挿入可能なように平に潰されて、そこに枢軸となる突軸９０が取り付けられている。この突軸９０としては、例えば市販の円筒状鳩目金具を、親骨４の根元部４ａに形成された孔に挿入して根元部４ａの両側に突出させ、かつその両端をフランジ状に潰して抜止めとしたものを用いることができる。
【００６９】
そして、突軸９０を備えた全ての親骨４の根元部４ａは、図２３（ｂ）に示すように、第１部材６０の上面６２に開口する突軸支持溝６５に突軸９０を支持させた状態で親骨収容溝６４に収容される。
【００７０】
図２４（ａ），（ｂ）は、上ろくろ３の第１部材６０の上面６２に蓋をする蓋部材２３の平面図および側面図を示す。この蓋部材２３は、第１部材６０の直径に略等しい外径と、第２部材７０のフランジ部７２の外径よりも僅かに小さい内径と、フランジ部７２の厚さよりも若干厚めの厚さとを有する環状体からなり、かつゴム、弾力性を有する樹脂材料等の弾性材料で形成されている。
【００７１】
したがって、突軸９０を備えた全ての親骨４の根元部４ａは、図２３（ｂ）に示すように第１部材６０の上面６２に開口する突軸支持溝６５に突軸９０を支持させた状態で親骨収容溝６４に収容された後、上記蓋部材２３を上方からフランジ部７２に嵌着して、突軸支持溝６５に蓋をすることができ、しかもこの嵌着状態を自らの弾性で保つことができる。
【００７２】
このことは、上ろくろ３を支柱２に取り付ける以前に、全ての親骨の根元部４ａを図２３（ｂ）に示す状態に上ろくろ３に取り付けた後、この蓋部材２３をフランジ部７２に嵌着するだけで、親骨４の根元部４ａが上ろくろ３から外れることなく枢支されることを意味し、傘製作時の作業性を向上させることができる。
【００７３】
そして、このように親骨４を取り付け、かつ蓋部材２３にて第１部材６０の上面６２に蓋をした上ろくろ３を、支柱２の上端から挿通し、支柱２の位置決め穴２８に対応する位置において、第３部材８０を、その係合突起８１を位置決め穴２８に係入させた状態で第２部材７０の半円筒体２４に側方から添接して（図２２に示す第２部材７０′の場合は、ヒンジ部８３から折り曲げて）円筒体を構成し、この円筒体に対し、シートＳを介して石突き２２を螺着することにより、上ろくろ３は強固に支柱２に嵌装固定される。
【００７４】
なお、特にコイルスプリング１４の弾発力によって開く自動開き傘の場合には、支柱２に形成された上ろくろ位置決め穴２８のエッジが、図１７に示すように、内側に湾曲していることが好ましい。これは、傘１が開くときにコイルスプリング１４の弾発力によって上ろくろ３が下方から衝撃を受けた場合に、位置決め穴２８のエッジによって係合突起８１が損傷するのを防止するためである。
【００７５】
一方、傘１の廃棄時にこの上ろくろ３を支柱２から取り外す場合には、先ず石突き２２を回して上ろくろ３から取り外し、次いでシートＳを外してから蓋部材２３を抜き取ることにより、係合突起８１を備えた第３部材８０を分離させることができ（図２２に示す第２部材７０′の場合は、ヒンジ部８３から開くことができ）、かつ親骨４の根元部４ａが上ろくろ３から外れるので、極めて容易に上ろくろ３を支柱２から上方へ抜き去ることができる。
【００７６】
このようにして、金属製部材からなる支柱２および親骨４と、樹脂製部材からなる上ろくろ３ならびに樹脂製または布製のシートＳとが容易に分離され、分別廃棄が可能になる。
【００７７】
ところで、この自動開き傘１は、前述したように、傘１が閉じている状態では、留め金１８によって支柱２に係止されている下ろくろ１０と中ろくろ６との間で圧縮された状態にあるコイルスプリング１４の付勢力が中ろくろ６から受け骨８を介して親骨４に伝達され、親骨４には常に開方向の力が作用している。したがって、廃棄時の分解に際して、万一傘１が閉じている状態で支柱２に対する上ろくろ３の係合状態を解除した場合には、コイルスプリング１４の弾発力で上ろくろ３が急激に手元側に引き寄せられる態様で傘１が急激に開き、危険を伴うおそれがある。
【００７８】
そこで、図１７に示すような形状を有する上ろくろ係止ピン２７が、支柱２に取外し可能に取り付けられている。この上ろくろ係止ピン２７においては、２本のアーム２７ｂ，２７ｃが開き方向にばね付勢された態様で中間のコイル部２７ａから延びており、一方のアーム２７ｂは直線状に形成されて支柱２の内面に添接され、他方のアーム２７ｃには外方へ膨出する係止部２７ｄが形成されて、この係止部２７ｄが、図２にも示されている支柱２のスリット２９と、図２５に示す円筒状ストッパ２４の一端から延びるスリット２４ａとを通って、上ろくろ３の下面に近接した位置に突出して、上ろくろ３を下方へ移動しないように係止しており、上述のような不測事態の発生を防止している。そして、傘が開いている状態で上ろくろ３と支柱２との係合状態を解除し、かつ親骨４を上ろくろ３から取り外した後は、中ろくろ６および下ろくろ１０を支柱２から抜き去るときの障害にならないように、この上ろくろ係止ピン２７は、ストッパ２４等を支柱２に沿って上方へ移動させると、その係止部２７ｄが弾性的に支柱２の内部へ引っ込むように構成されている。
【００７９】
図２６は、図１７に示されているストッパ２４回りの構造の変形を示し、図２６においては、図１７と同じ構造の上ろくろ係止ピン２７が用いられているが、ストッパ２４が図１７とは上下を反対にした状態で支柱２に緩挿されるとともに、クッションリング２６に代えて、緩衝用コイルスプリング９１が上ろくろ３とストッパ２４との間に介装されている。したがって上ろくろ３は、コイルスプリング９１およびストッパ２４を介して係止ピン２７により、下方へ移動しないように係止されることになる。
【００８０】
次に、図１および図３に示されている樹脂製の手元１６は、図２７（ａ），（ｂ）に示す手元本体１００と、図２８（ａ）〜（ｃ）に拡大して示すように、外周に雄ねじ１１３を形成しかつ支柱２の手元位置決め穴２５に係入し得る係合突起１１１を内周面に備えた、手元本体１００とは別部材からなる短い半円筒体１１０と、手元本体１００および半円筒体１１０を支柱２に取外し可能に固定するための、図２９（ａ），（ｂ）に示す円筒状の手元固定部材１２０とから構成されている。
【００８１】
図２７（ａ），（ｂ）に平面図および正面図で示す手元本体１００は、支柱２の根元部が挿入される穴１０１を備えたＵ字状の把手部１０２と、この把手部１０２の上端に一体に連接された、外周に雄ねじ１０３を備えた短い半円筒体部１０４と、この半円筒体部１０４の上端から同軸的に上方に比較的長く延びる半円筒体部１０５と、長手方向に延びるヒンジ部１０６を介して上記半円筒体部１０５に連結されている半円筒体部１０７とから構成されている。半円筒体部１０４と半円筒体１１０、および半円筒体部１０５と１０７は、支柱２が挿通される中心孔の軸線を含む面に沿って円筒体が２分割された状態となっている。
【００８２】
そして、雄ねじ１０３を備えた半円筒体部１０４に、雄ねじ１１３を備えた半円筒体１１０を添接することにより、図３０（ａ），（ｂ）に平面図および側面図で示すように、双方の雄ねじ１０３，１１３が互いに連続して、外周に雄ねじを備えた円筒体１１５が形成され、また、手元本体１００の半円筒体部１０７をヒンジ部１０６に沿って折り曲げて、半円筒体部１０５に添接することにより、同じく図３０（ａ），（ｂ）に示すように、中心孔１０９に挿入された支柱２を両側から保持する支柱保持部を構成する円筒体１０８が形成されるようになっている。この円筒体１０８の外周面は、上方へ向かうにつれて外径が縮小されるテーパー面になっている。
【００８３】
図２９（ａ），（ｂ）に平面図および縦断面図で示すように下方が開口した円筒状の手元固定部材１２０は、支柱２が挿通される孔１２１を備えた頂壁１２２と、手元本体１００の一対の半円筒体部１０５，１０７で構成されるテーパー面を備えた円筒体１０８の外周面に密着し得るテーパー面を形成する内周面１２３と、手元本体１００の半円筒体部１０４と半円筒体１１０とによって構成される、雄ねじを備えた円筒体１１５に螺着される雌ねじ部１２４とから構成されている。
【００８４】
以上のような構成を有する手元１６を支柱２に取り付ける場合には、先ず図３１に示すように、手元固定部材１２０を支柱２の根元部に挿入する。この場合、支柱２に設けられている押し釦２０に手元固定部材１２０の頂壁１２２が当接した状態で、支柱２の手元位置決め穴２５全体が手元固定部材１２０の下端面１２５よりも下方に露出するように、手元固定部材１２０の長さおよびこの長さに対応する手元本体１００の各部の長さが設定されている。
【００８５】
次に、手元本体１００の半円筒体部１０７をヒンジ部１０６から折り曲げて円筒体１０８としたものを支柱２の根元部から挿入し、かつ支柱２の根元部を手元本体１００の穴１０１に挿入して、図３２に示す状態とする。次いで雄ねじ１１３を備えた半円筒体１１０を、その係合突起１１１が上記手元位置決め穴２５に係入される態様で、手元本体１００の半円筒体部１０４に添接して、雄ねじを備えた円筒体１１５（図３０参照）を形成し、次いでこの円筒体１１５に手元固定部材１２０の雌ねじ部１２４を螺着することによって、図３３に示すように、手元１６が支柱２の根元部に強固に、かつ取外し可能に固定される。
【００８６】
以上の説明から明らかなように、本実施の形態においては、雄ねじ１１３を備えた短い半円筒体１１０が、手元本体１００の半円筒体部１０７から分離した形態の別部材となっているが、手元１６をこのような構成にした理由は、図３１からも明らかなように、自動開き傘においては、傘１を開くための押し釦２０が比較的手元１６に近接して設けられている関係で、支柱２の手元位置決め穴に係入させる係合突起を半円筒体部１０７の内周面に形成することが不可能であるからである。そして、手元１６をこのような構成にしておけば、手開き傘と自動開き傘とに共用することができる利点がある。
【００８７】
なお、上述とは反対に、支柱保持部を構成する半円筒体１０７が手元本体１００とは別部材とし手形成され、かつ雄ねじ１１３を備えた半円筒体１１０が、手元本体１００の半円筒体部１０４にヒンジ結合された構成としてもよい。
【００８８】
一方、図３３に示す固定状態から、手元固定部材１２０を回して雌ねじ部１２４と手元本体１００側の円筒体１１５との螺合状態を解除し、そこに露出した半円筒体１１０を取り外すと、図３２に示す状態となるから、手元１６を支柱２から容易に取り外すことができる。
【００８９】
図３４（ａ），（ｂ）に平面図および正面図で示す手元本体１００は、図２７（ａ），（ｂ）に示す手元本体１００と略同様の構成を有するが、その要部の拡大図である図３５（ａ），（ｂ）から明らかなように、半円筒体１０５，１０７の外周面のヒンジ部１０６に沿った部分がそれぞれ平らに削られて平坦面１０５ａ，１０７ａが形成され、その分ヒンジ部１０６の位置が、平坦面１０５ａ，１０７ａを設けない場合よりも支柱保持体である円筒体の半径方向内方へ変位している。
【００９０】
したがって、他方の半円筒体１０７をヒンジ部１０６に沿って折り曲げて円筒体とした場合、図３５（ｂ）に示すように、ヒンジ部１０６が外方へ突出しても、手元固定部材１２０の被冠の障害になるおそれがなくなる。
【００９１】
また、支柱保持部の手元本体１００側に固定された一方の半円筒体１０５に対しヒンジ部１０６を介して連結されている他方の半円筒体１０の内周面に、内方へ膨出する適当な幅の平坦面１０７ｂが支柱保持部の高さ全体に亘って形成されている。
【００９２】
このように半円筒体１０の内周面に平坦面１０７ｂが形成されていると、手元固定部材１２０を樹脂製の手元本体１００に螺着した場合に、上記平坦面１０７ｂが円形の外周断面形状を有する支柱２に圧着されて弾性的に凹み、支柱保持部がより強固に支柱２保持することができる。
【００９３】
次に、上述のような構成を有する自動開き傘１の、廃棄に際しての好ましい分解手順について説明する。
【００９４】
（１）先ず傘１が開いている状態で、石突き２２を回して上ろくろ３との螺合状態を解除し、石突き２２を上ろくろ３から取り外し、係合突起８１を備えた上ろくろ３の第３部材８０も取り外す（図２２に示す第２部材７０′の場合はヒンジ部８３から開く）。
【００９５】
（２）シートＳを外し、かつ蓋部材２３を抜き取ることにより、親骨４の根元部４ａを取外し可能に露出させる。
【００９６】
（３）すべての親骨４の根元部４ａを上ろくろ３の第１部材６０から上方へ取り外し、上ろくろ３を支柱２から上方へ抜き取る。
【００９７】
（４）ストッパ２４およびクッションゴム２６を（図２６の場合は、コイルスプリング９１およびストッパ２４を）支柱２から上方へ抜き取る。
【００９８】
（５）中ろくろ６の中ろくろ本体４６を上方へ移動させ、受け骨枢支部４１の下面４１ａと受け骨８の根元部８ａとを露出させる。
【００９９】
（６）すべての受け骨８の根元部８ａを受け骨枢支部４１から下方へ取り外し、次いで中ろくろ本体４６、蓋部材４８およびコイルスプリング１４を支柱２から上方へ抜き取る。
【０１００】
（７）下ろくろ１０を若干上方へ移動させて、すべての支え骨１２の根元部１２ａを、下ろくろ１０の支え骨枢支部３０が備えている枢支リング１３から取り外し、下ろくろ１０を支柱２から上方へ抜き取る。
【０１０１】
（８）押しボタン取付け用突起１９から押ボタン２０を取り外す。
【０１０２】
（９）手元１６の手元固定部材１２０を回して手元本体１００との螺合状態を解除し、そこに露出した半円筒体１１０を取り除く。
【０１０３】
（１０）手元本体１００および手元固定部材１２０を支柱２から下方へ抜き取る。
【０１０４】
このようにして、金属製部材と樹脂製部材とが容易かつ安全に分離され、完全な分別廃棄が可能になる。
【図面の簡単な説明】
【０１０５】
【図１】本発明による傘が自動開き傘である場合の一実施形態の開状態における全体構成を、一部を省略して示す概略図である。
【図２】図１に示す自動開き傘に使用される支柱の正面図である。
【図３】図１に示す自動開き傘の閉状態において支柱に係止された下ろくろを中ろくろとともに示す縦断面図である。
【図４】図４（ａ）〜（ｃ）は下ろくろの平面図、縦断面図および底面図である。
【図５】図５（ａ）〜（ｃ）は図４の下ろくろが有する支え骨枢支部を備えた環状体の平面図、縦断面図および底面図である。
【図６】図４の下ろくろが有するスプリング収容筒の縦断面図である。
【図７】図７（ａ）,（ｂ）は支え骨の根元部を枢支する枢支リングの平面図および支え骨の根元部とともに示す縦断面図である。
【図８】図８（ａ）,（ｂ）は枢支リングの変形を示す平面図および正面図である。
【図９】図８（ａ）,（ｂ）は支え骨の根元部が下ろくろに枢支された状態を示す平面図および縦断面図である。
【図１０】図１０（ａ）,（ｂ）は下ろくろの他の実施の形態の平面図および縦断面図である。
【図１１】図１１（ａ）〜（ｃ）は図１０の下ろくろが有する支え骨枢支部を備えた環状体の平面図、図１１（ａ）のｂ−ｂ線に沿った縦断面図および底面図である。
【図１２】図１２（ａ）〜（ｃ）は図１０の下ろくろが有するスプリング収容筒の平面図、図１２（ａ）のｂ−ｂ線に沿った縦断面図および底面図である。
【図１３】図１３（ａ）,（ｂ）は下ろくろのさらに他の実施の形態の平面図および縦断面図である。
【図１４】図１４（ａ）〜（ｃ）は中ろくろ本体の平面図、縦断面図および底面図である。
【図１５】図１５（ａ），（ｂ）は中ろくろの蓋部材の平面図および正面図である。
【図１６】図１６（ａ）は受け骨の根元部の底面図、図１６（ｂ）は受け骨の根元部が中ろくろ本体の受け骨収容溝に収容された状態を示す底面図、図１６（ｃ）は中ろくろの縦断面図である。
【図１７】図１に示す自動開き傘の上端部を傘が閉じた状態で示す縦断面図である。
【図１８】図１７の傘の上端部の、支柱を除く分解縦断面図である。
【図１９】図１９（ａ）〜（ｄ）は、上ろくろの構成部品である第１部材の平面図、側面図、底面図および図３（ａ）のＡ−Ａ線に沿った縦断面図である。
【図２０】図２０（ａ）〜（ｃ）は、上ろくろの構成部品である第２部材を第３部材とともに示す平面図、側面図および底面図である。
【図２１】図２１（ａ）〜（ｃ）は、第３部材とともに示す上ろくろの平面図、側面図および底面図である。
【図２２】図２２（ａ），（ｂ）は、上ろくろの第２部材の他の実施の形態を示す平面図および側面図である。
【図２３】図２３（ａ）は、親骨の根元部の底面図、図２３（ｂ）は、親骨の根元部が図２１の上ろくろの親骨収容溝に収容された状態を示す平面図である。
【図２４】図２４（ａ）,（ｂ）は、蓋部材の平面図および側面図である。
【図２５】ストッパの側面図である。
【図２６】図１７示す自動開き傘の上端部の変形を示す縦断面図である。
【図２７】図２７（ａ），（ｂ）は手元本体の平面図および正面図である。
【図２８】図２８（ａ）〜（ｃ）は、外周に雄ねじを形成した短い半円筒体の拡大平面図、正面図および背面図である。
【図２９】図２９（ａ），（ｂ）は手元固定部材の平面図および縦断面図である。
【図３０】図３０（ａ），（ｂ）は手元本体の組立て状態を示す背面図および側面図である。
【図３１】手元の支柱への取付け順序の説明に供する要部正面図である。
【図３２】手元の支柱への取付け順序の説明に供する要部正面図である。
【図３３】手元の支柱への取付け状態を示す縦断面図である。
【図３４】図３４（ａ），（ｂ）は手元本体の別の実施の形態の平面図および正面図である。
【図３５】図３５（ａ），（ｂ）は、図３４の手元本体の構成の説明に供する拡大平面図および正面図である。
【符号の説明】
【０１０６】
１    傘
２    支柱
３    上ろくろ
４    親骨
６    中ろくろ
８    受け骨
１０    下ろくろ
１２    支え骨
１３    枢支リング
１４    コイルスプリング
１６    手元
２０    押しボタン
２２    石突き
４６    中ろくろ本体
１００    手元本体
１２０    手元固定部材
【図１】
2007097992.tif 000003
【図２】
2007097992.tif 000004
【図３】
2007097992.tif 000005
【図４】
2007097992.tif 000006
【図５】
2007097992.tif 000007
【図６】
2007097992.tif 000008
【図７】
2007097992.tif 000009
【図８】
2007097992.tif 000010
【図９】
2007097992.tif 000011
【図１０】
2007097992.tif 000012
【図１１】
2007097992.tif 000013
【図１２】
2007097992.tif 000014
【図１３】
2007097992.tif 000015
【図１４】
2007097992.tif 000016
【図１５】
2007097992.tif 000017
【図１６】
2007097992.tif 000018
【図１７】
2007097992.tif 000019
【図１８】
2007097992.tif 000020
【図１９】
2007097992.tif 000021
【図２０】
2007097992.tif 000022
【図２１】
2007097992.tif 000023
【図２２】
2007097992.tif 000024
【図２３】
2007097992.tif 000025
【図２４】
2007097992.tif 000026
【図２５】
2007097992.tif 000027
【図２６】
2007097992.tif 000028
【図２７】
2007097992.tif 000029
【図２８】
2007097992.tif 000030
【図２９】
2007097992.tif 000031
【図３０】
2007097992.tif 000032
【図３１】
2007097992.tif 000033
【図３２】
2007097992.tif 000034
【図３３】
2007097992.tif 000035
【図３４】
2007097992.tif 000036
【図３５】
2007097992.tif 000037